(57)【要約】【課題】接点溶着状態ではハンドルレバーをオフ位置に動かすことができず、しかも接点溶着を強い力で引き剥がすことができる配線用遮断器を提供する。【解決手段】ハンドルレバー１の動きを下リンク５を介してクロスバー１２に伝え、接点の開閉を行う。開離部材１７をクロスバー１２に枢着しておき、接点溶着状態でハンドルレバー１をオフ操作したときにハンドルレバー１の突片２１により開離部材１７の一端が押し下げられるようにしておく。開離部材１７の他端は下リンク５の段部２２と係合しており、開離部材１７が回転されると下リンク５を引き上げ、クロスバー１２を引き上げて接点を引き剥がす。【選択図】図９
2007265830.tif 000002
【特許請求の範囲】
【請求項１】
ハンドルレバーの動きを下リンクを介してクロスバーに伝え、接点の開閉を行う配線用遮断器において、接点溶着状態でハンドルレバーをオフ操作したときにハンドルレバーの突片により一端が押し下げられる開離部材をクロスバーに枢着し、その他端を下リンクと係合して下リンクを引き上げる係合部としたことを特徴とする配線用遮断器。
【請求項２】
下リンクに、開離部材の他端の係合部と係合する段部を形成したことを特徴とする請求項１記載の配線用遮断器。
【発明の詳細な説明】
【技術分野】
【０００１】
本発明は、接点溶着が発生した場合に、接点を容易に引き剥がせるようにした配線用遮断器に関するものである。
【背景技術】
【０００２】
配線用遮断器は、ハンドルレバーの開閉操作により接点のオンオフ切替えができるとともに、過電流等を検出したときにはトリップ機構が動作して可動接触子を動かし、接点をオフとして回路を遮断する機能を備えたものである。このときハンドルレバーはトリップ位置に動き、回路が遮断されたことを表示する。このようにハンドルレバー位置によって接点の開閉状態が正しく表示されるように設計されている。
【０００３】
ところが過電流により接点が溶着してしまった場合には、トリップ機構は動作しているにもかかわらず可動接触子や接点はオン状態のままとなり、ハンドルレバー位置と接点との正常な関係が崩れる。そして通常の配線用遮断器では、ハンドルレバーを操作しても溶着した接点を引き剥がすことができない。また接点が溶着したままハンドルレバーをオフ位置に動かすことも可能となり、ハンドルレバーがオフ位置にあるために回路は非通電状態にあると信じて保守点検を行い、感電事故を招く可能性もある。
【０００４】
このような問題を解決するために特許文献１，２には、接点が溶着した状態ではハンドルレバーをオフ位置に動かすことができないようにしているとともに、軽い溶着であればハンドルレバーをオフ位置の方向に強く動かすことによって接点を引き剥がせるようにした配線用遮断器が提案されている。しかし特許文献１の配線用遮断器は、接点溶着状態でハンドルレバーをオフ操作したときにハンドルレバーの突起をクロスバーピンに直接当接させ、可動接点を固定接点との接触面と平行に動かす構造である。このためクロスバーの回転軸からの距離が短く、クロスバーに十分な回転トルクを与えることができないため、溶着した接点を引き剥がす力が弱かった。
【０００５】
また特許文献２の配線用遮断器は、トリップ機構が動作していない時点での溶着に対して、トリップバーを動作させてトリップ機構のばねの力で接点を引き剥がす構造であるため、トリップ機構が動作した状態の接点溶着を引き剥がすことはできなかった。
【特許文献１】特開２００５−６３８７７号公報
【特許文献２】特開２０００−３２３００３号公報
【発明の開示】
【発明が解決しようとする課題】
【０００６】
本発明は上記した従来の問題点を解決し、接点が溶着した状態ではハンドルレバーをオフ位置に動かすことができず、しかもトリップ機構が動作した状態の接点溶着を強い力で引き剥がすことができる配線用遮断器を提供するためになされたものである。
【課題を解決するための手段】
【０００７】
上記の課題を解決するためになされた本発明は、ハンドルレバーの動きを下リンクを介してクロスバーに伝え、接点の開閉を行う配線用遮断器において、接点溶着状態でハンドルレバーをオフ操作したときにハンドルレバーの突片により一端が押し下げられる開離部材をクロスバーに枢着し、その他端を下リンクと係合して下リンクを引き上げる係合部としたことを特徴とするものである。なお、下リンクには開離部材の他端の係合部と係合する段部を形成しておくことが好ましい。
【発明の効果】
【０００８】
本発明の配線用遮断器は、クロスバーに開離部材を枢着し、接点溶着状態でハンドルレバーをオフ操作したときにハンドルレバーの突片により開離部材の一端を押し下げることにより他端を押し上げ、下リンクを引き上げて接点の溶着を引き剥がす構造のものである。このため、接点が溶着した状態では開離部材を回転させない限り、ハンドルレバーをオフ位置に動かすことができない。しかも下リンクを引き上げるため、クロスバーを直接回転させる従来のものよりも、接点溶着を強い力で引き剥がすことができる。接点の引き剥がしをハンドル操作により行うので、トリップ機構が動作した状態においても接点溶着を引き剥がすことができる。
【発明を実施するための最良の形態】
【０００９】
以下に本発明の好ましい実施形態を示す。
図１から図３は何れも実施形態の配線用遮断器のオン状態における内部機構を示す図である。これらの図において、１は上端にハンドル（図示せず）が固定されるハンドルレバーであり、下端部２を回動軸としてフレームに支持されている。３は上リンク４と下リンク５とを連結する軸であり、この軸３とハンドルレバー１の上端との間にはトグルバネ６が設けられている。
【００１０】
上リンク４の上端は、ラッチ７の中央部に軸８により軸支されている。ラッチ７は一端をフレームに軸９により軸支され、先端はトリップバー１０の下面に係合している。また下リンク５の下端は軸１１によってクロスバー１２に連結されている。クロスバー１２はクロスバー軸１３を中心として回転できるもので、クロスバー１２に固定された各極の可動アーム１４の先端には可動接点１５が設けられ、固定接点１６との間で回路の開閉を行うことができる。
【００１１】
図３に示すオン状態及び図４に示すオフ状態では、ラッチ７は動かないために軸８は一定位置にある。ハンドルレバー１を図３に示すオン位置から図４に示すオフ位置に動かすと、トグルバネ６の作用点を超えると一気に動作し上リンク４は軸８を中心として反時計方向に回転し、それに連れて軸３の位置がクロスバー軸１３側に移動するため、下リンク５が引き上げられる。これによってクロスバー１２は回転して可動アーム１４が上昇し、可動接点１５は固定接点１６から離れて接点がオフとなる。
【００１２】
また過電流が検出されたときには、図５に示すようにトリップバー１０が動いてラッチ７の先端の係合が外れ、ラッチ７は軸９を中心として回転可能となる。このため、トグルバネ６がラッチ７とともに上リンク４を引き上げ、軸３により連結されている下リンク５も上方に移動して可動アーム１４が上昇し、可動接点１５は固定接点１６から離れて接点がオフとなる。このトリップ状態ではハンドルレバー１は図５に示すトリップ位置を取る。以上に説明したとおり、ハンドルレバー１の動きは下リンク５を介してクロスバー１２に伝えられ、接点の開閉を行うことは従来の配線用遮断器と同様である。
【００１３】
しかし本発明の配線用遮断器においては、図６に示すような形状の開離部材１７がクロスバー１２に枢着されている。この開離部材１７は両側のＬ型屈曲形状のアーム１８，１８とその上面をつなぐ連結板１９とからなり、アーム１８，１８の上方部の孔２０にピンを通してクロスバー１２の上部に揺動自在に取り付けられている。この開離部材１７は図示を略したバネにより、常に反時計方向、すなわちアーム１８の先端が下がる方向に付勢されている。
【００１４】
またハンドルレバー１の両側には、その中間部よりもやや下方に図７に示すような突片２１が突設されており、この突片２１の下端で開離部材１７の一端である連結板１９の端部を押し下げることができるようになっている。なお開離部材１７の他端であるアーム１８の先端は、下リンク５の上部側面に形成された段部２２と係合し、下リンク５を強制的に引き上げる係合部２３となっている。
【００１５】
このように構成された本発明の配線用遮断器の動作は、次の通りである。
前記したように、開離部材１７はバネにより、常にアーム１８の先端が下がる方向に付勢されているので、図３、図４に示す通常のオンオフ操作や、図５に示したトリップ動作の場合には他の部材と干渉しない。このためこれらの通常動作は従来の配線用遮断器と全く変わることなく行われる。
【００１６】
しかし図８に示すように接点溶着状態となったときには、図９に示すようにハンドルレバー１をオフ操作しようとすると、通常のオフ操作とは異なりクロスバー１２は回転しないため、ハンドルレバー１の突片２１が開離部材１７の一端に当たって押し下げ、開離部材１７をバネに逆らって時計方向に回転させようとする。しかし開離部材１７の他端の係合部２３は下リンク５の段部２２と係合しているため、接点溶着状態のままでは開離部材１７はそれ以上回転できない。従って接点溶着状態のままでは、ハンドルレバー１をオフ操作することができず、ハンドルから手を離すとトグルバネ６の力によってハンドルレバー１はオン位置に戻る。このため、接点溶着状態であるにもかかわらずハンドルレバー１がオフ位置を取ることはなくなり、前記したような感電事故の危険性をなくすことができる。
【００１７】
また図９の状態からさらに力を加えてハンドルレバー１をオフ操作すると、ハンドルレバー１の突片２１により開離部材１７の一端を押し下げることにより開離部材１７の他端の係合部２３を押し上げ、これに係合している下リンク５を引き上げて接点の溶着を引き剥がすことができる。このときクロスバー軸１３と下リンク５の軸１１との間に距離があるため、十分なレバー比を確保して強い力でクロスバー１２を回転させて可動アーム１４を引き上げることができ、クロスバー１２を直接回転させていた従来の配線用遮断器よりも、溶着した接点の引き剥がしをきわめて容易に行うことが可能となる。
【００１８】
以上のように、本発明の配線用遮断器は接点溶着状態のままでは、ハンドルレバー１をオフ方向に操作してもオフ位置とすることができず、ハンドルレバー位置と接点との正常な関係を維持し、またトリップ機構が動作した状態においても、さらに力を加えてハンドルレバー１をオフ操作することにより、従来の配線用遮断器よりも接点の引き剥がしを容易に行うことができる利点を有するものである。
【図面の簡単な説明】
【００１９】
【図１】オン状態における内部機構を示す斜視図である。
【図２】オン状態における内部機構を示す背面斜視図である。
【図３】オン状態における内部機構を示す断面構造図である。
【図４】オフ状態における内部機構を示す断面構造図である。
【図５】トリップ状態における内部機構を示す断面構造図である。
【図６】開離部材の斜視図である。
【図７】ハンドルレバーの斜視図である。
【図８】接点溶着状態における内部機構を示す断面構造図である。
【図９】溶着した接点を引き剥がすときの断面構造図である。
【符号の説明】
【００２０】
１  ハンドルレバー
２  下端部
３  軸
４  上リンク
５  下リンク
６  トグルバネ
７  ラッチ
８  軸
９  軸
１０  トリップバー
１１  軸
１２  クロスバー
１３  クロスバー軸
１４  可動アーム
１５  可動接点
１６  固定接点
１７  開離部材
１８  アーム
１９  連結板
２０  孔
２１  突片
２２  段部
２３  係合部
【図１】
2007265830.tif 000003
【図２】
2007265830.tif 000004
【図３】
2007265830.tif 000005
【図４】
2007265830.tif 000006
【図５】
2007265830.tif 000007
【図６】
2007265830.tif 000008
【図７】
2007265830.tif 000009
【図８】
2007265830.tif 000010
【図９】
2007265830.tif 000011